(57)【要約】  【課題】  グリル扉の開閉操作性を向上させることができるグリルを提供する。  【解決手段】  グリル室の前面開口を通じて受け皿及びこれを支持する支持枠を出し入れ自在に配置したグリルであって、受け皿をグリル室内に浮かせ、且つ、支持枠ガイドと接触させない状態で載置する支持枠とを備えたことを特徴とし、また、支持枠ガイドに係止突起を形成し、グリル扉を閉じたとき係止突起と係合する被係止突起をサイド枠に設け、係止突起に対する被係止突起の係合・離脱時に該サイド枠を弾性変形させる枠変形手段を設け、グリル扉の開閉時に、枠変形手段によってサイド枠を弾性変形させながら被係止突起が係止突起を乗り越えて該係止突起に対して係合・離脱することを特徴とする。【選択図】    図２
2008149168.tif 000002
【特許請求の範囲】
【請求項１】
グリル室の前面開口を通じて受け皿及びこれを支持する支持枠を出し入れ自在に配置したグリルであって、
前記支持枠の前端部に結合され、前記受け皿及び前記支持枠が前記グリル室に押し込まれたときに、該グリル室の前面開口を閉じるグリル扉と、
前記グリル室の左右両側に形成され、前記支持枠の左右両側のサイド枠を摺動させることによって、前記グリル室内の位置から前記受け皿及び前記支持枠のほぼ全体が前記グリル室から引き出される引き出し位置まで、前記支持枠をガイドする支持枠ガイドと、
前記受け皿を前記グリル室内に浮かせ、且つ、前記支持枠ガイドと接触させない状態で載置する前記支持枠とを備えたことを特徴とするグリル。
【請求項２】
グリル室の前面開口を通じて受け皿及びこれを支持する支持枠を出し入れ自在に配置したグリルであって、
前記支持枠の前端部に結合され、前記受け皿及び前記支持枠が前記グリル室に押し込まれたときに、該グリル室の前面開口を閉じるグリル扉と、
前記グリル室の左右両側に形成され、前記支持枠の左右両側のサイド枠を摺動させることによって、前記グリル室内の位置から前記受け皿及び前記支持枠のほぼ全体が前記グリル室から引き出される引き出し位置まで、前記支持枠をガイドする支持枠ガイドとを備え、
前記支持枠ガイドに係止突起を形成し、前記グリル扉を閉じたとき前記係止突起と係合する被係止突起を前記サイド枠に設け、前記係止突起に対する前記被係止突起の係合・離脱時に該サイド枠を弾性変形させる枠変形手段を設け、
前記グリル扉の開閉時に、前記枠変形手段によって前記サイド枠を弾性変形させながら前記被係止突起が前記係止突起を乗り越えて該係止突起に対して係合・離脱することを特徴とするグリル。
【請求項３】
前記受け皿を前記グリル室内に浮かせ、且つ、前記支持枠ガイドと接触させない状態で載置する前記支持枠とを備えたことを特徴とする請求項２に記載のグリル。
【請求項４】
前記支持枠ガイドに下レール溝を設け、該下レール溝を前記支持枠のサイド枠が摺動することを特徴とする請求項１から３のいずれかに記載のグリル。
【請求項５】
前記支持枠は、前記受け皿よりも上位に位置して該受け皿と断面コ字状の前記支持枠ガイドの上壁面との接触を回避するための上側サイド枠を備えたことを特徴とする請求項１から４のいずれかに記載のグリル。
【請求項６】
前記受け皿を前記支持枠の前枠部と後枠部に載置したことを特徴とする請求項１から５のいずれかに記載のグリル。
【請求項７】
前記引き出し位置に至ったときに、前記支持枠の前側を前記グリル扉と共に所定量下降させると共に該支持枠の後部を支持する扉降下手段と、
前記引き出し位置に至ったときに、前記受け皿の後部を支持して該受け皿をほぼ水平姿勢に維持する水平保持手段と備えたことを特徴とする請求項１から６のいずれかに記載のグリル。
【発明の詳細な説明】
【技術分野】
【０００１】
本発明は、テーブルコンロなどに用いられるグリルに関する。
【背景技術】
【０００２】
この種のグリルとしては、種々のものが提供されている。グリルは、一般に、魚等の食物を焼くためのガスバーナと、食物を載せる焼き網と、受け皿とを有し、グリル室前面には、開口とそれを塞ぐグリル扉とが設けられている。
【０００３】
ところで、受け皿をグリル室内から出し入れする際の操作性を向上させるために受け皿の摺動抵抗を小さくし、また、受け皿の摺動による不快音の発生を防止するためのグリルが提案されている（例えば、特許文献１参照。）。
【０００４】
しかしながら、依然として受け皿を摺動させる構造となっているので、グリル扉の開閉操作性を飛躍的に向上させるには至っていなかった。
【０００５】
また、グリル扉を閉じたときに、互いに係合する雄型と雌型の扉位置決め部材をグリル扉とグリル室の前面開口の周囲にそれぞれ設けたものが提案されていた（例えば、特許文献２参照。）。
【０００６】
かかるグリルによれば、扉位置決め部材の係合によってグリル扉を位置決めすることができるので、グリル扉とグリル室の前面開口との間に隙間が生じ難く、調理時に発生する煙等の漏れを防止できる。
【０００７】
一方、受け皿の支持枠はグリル室内に形成されたガイド溝に案内されて移動し、また、グリル扉は支持枠に固定されているので、支持枠がガイド溝から外れないように扉位置決め部材の取り付け位置を決める必要がある。
【０００８】
しかしながら、製造誤差などにより、支持枠がガイド溝から僅かにずれた位置で扉位置決め部材が係合する場合には、支持枠をガイド溝に沿って摺動させることによってグリル扉を閉じた後に、支持枠をガイド溝から外れる方向にグリル扉を僅かに動かして扉位置決め部材を係合させなければならず、グリル扉の開閉操作性が低下するという問題があった。
【特許文献１】特開平６―１８０１２２号公報（全頁、全図）
【特許文献２】特開２００２−１８１３４０号公報（全頁、全図）
【発明の開示】
【発明が解決しようとする課題】
【０００９】
本発明は上述した課題に鑑みてなされたものであって、受け皿の摺動抵抗を解消することができ、また、グリル扉を位置決めするための係止手段を支持枠のガイド溝に設けることにより扉位置決め手段の係合不良が解消してグリル扉の開閉操作性を向上させることができるグリルを提供することを目的とする。
【課題を解決するための手段】
【００１０】
本発明のグリルは、グリル室の前面開口を通じて受け皿及びこれを支持する支持枠を出し入れ自在に配置したグリルであって、前記支持枠の前端部に結合され、前記受け皿及び前記支持枠が前記グリル室に押し込まれたときに、該グリル室の前面開口を閉じるグリル扉と、前記グリル室の左右両側に形成され、前記支持枠の左右両側のサイド枠を摺動させることによって、前記グリル室内の位置から前記受け皿及び前記支持枠のほぼ全体が前記グリル室から引き出される引き出し位置まで、前記支持枠をガイドする支持枠ガイドと、前記受け皿を前記グリル室内に浮かせ、且つ、前記支持枠ガイドと接触させない状態で載置する前記支持枠とを備えたことを特徴とする。
【００１１】
また、本発明のグリルは、グリル室の前面開口を通じて受け皿及びこれを支持する支持枠を出し入れ自在に配置したグリルであって、前記支持枠の前端部に結合され、前記受け皿及び前記支持枠が前記グリル室に押し込まれたときに、該グリル室の前面開口を閉じるグリル扉と、前記グリル室の左右両側に形成され、前記支持枠の左右両側のサイド枠を摺動させることによって、前記グリル室内の位置から前記受け皿及び前記支持枠のほぼ全体が前記グリル室から引き出される引き出し位置まで、前記支持枠をガイドする支持枠ガイドとを備え、前記支持枠ガイドに係止突起を形成し、前記グリル扉を閉じたとき前記係止突起と係合する被係止突起を前記サイド枠に設け、前記係止突起に対する前記被係止突起の係合・離脱時に該サイド枠を弾性変形させる枠変形手段を設け、前記グリル扉の開閉時に、前記枠変形手段によって前記上側サイド枠を弾性変形させながら前記被係止突起が前記係止突起を乗り越えて該係止突起に対して係合・離脱することを特徴とする。
【００１２】
また、前記支持枠ガイドに下レール溝を設け、該下レール溝に前記支持枠のサイド枠を摺動させるのが望ましい。
【００１３】
また、前記支持枠は、前記受け皿よりも上位に位置して該受け皿と断面コ字状の前記支持枠ガイドの上壁面との接触を回避するための上側サイド枠を備えるのが望ましい。
【００１４】
また、前記受け皿を前記支持枠の前枠部と後枠部に載置させるのが望ましい。
【００１５】
また、前記引き出し位置に至ったときに、前記支持枠の前側を前記グリル扉と共に所定量下降させると共に該支持枠の後部を支持する扉降下手段と、前記引き出し位置に至ったときに、前記受け皿の後部を支持して該受け皿をほぼ水平姿勢に維持する水平保持手段と備えるのが望ましい。
【発明の効果】
【００１６】
本発明によれば、以下の効果を奏するグリルを提供することができる。すなわち、本発明のグリルによれば、前記受け皿を前記グリル室内に浮かせ、且つ、前記支持枠ガイドと接触させない状態で載置する前記支持枠とを備えたので、受け皿の摺動抵抗をなくして受け皿の出し入れが容易になり、グリル扉の開閉操作性を向上させることができる。
【００１７】
また、本発明のグリルによれば、前記支持枠ガイドに係止突起を形成し、前記グリル扉を閉じたとき前記係止突起と係合する被係止突起を前記サイド枠に設け、前記係止突起に対する前記被係止突起の係合・離脱時に該サイド枠を弾性変形させる枠変形手段を設け、前記グリル扉の開閉時に、前記枠変形手段によって前記上側サイド枠を弾性変形させながら前記被係止突起が前記係止突起を乗り越えて該係止突起に対して係合・離脱するので、支持枠及び該支持枠を案内する支持枠ガイドに形成された扉位置決め用の被係止突起及び係止突起によってグリル扉を確実に位置決めすることができ、しかも、グリル扉に位置決め手段を設ける従来技術のように位置決め手段の位置ずれによって位置決め不良が生じ難くなり、グリル扉の開閉操作性を向上させることができ、更には、グリル扉の位置決め操作とグリル扉の開閉操作との一体感を得ることができてグリル扉の開閉操作性を更に向上させることができる。
【発明を実施するための最良の形態】
【００１８】
以下、本発明に係る実施形態について、添付図面を参照しつつ詳細に説明をする。図１は、本発明の本実施形態に係るグリルの縦断側面図であり、図２はその縦断正面図である。図示のように、グリルは、グリル室１、該グリル室１に出し入れ可能に配設される受け皿２、該受け皿２の支持枠３、グリル扉４、支持枠ガイド５と、受け皿２に取り外し自在に積載される焼き網７、扉降下手段と、受け皿２の水平保持手段とを備えている。
【００１９】
グリル室１は、前面開口１１を有する直方体状のケーシングにより形成されている。グリル室１はガスこんろに固定され、グリル室１上面及び支持枠ガイド５の上方の突出部６１内にはガスバーナ（図示せず）が配置され、前面開口１１は受け皿２等を出し入れするために使用される。また、前面開口１１の底面の前端には枠受け部１２が形成され、前面開口１１の底面のうち前端から僅かに引っ込んだ部位には受け皿２の水平保持台１３が設けられ、該水平保持台１３は後述の下レール５２の前端部に連設されている。
【００２０】
図３は、図１に示すグリルの受け皿２の平面図であり、図４はその正面図、図５はその側面図である。受け皿２は、平面視がほぼ矩形状の皿であり、その周縁には外側に突出したフランジ２１が設けられている。フランジ２１の前端及び後端からは前係合部２３及び後係合部２３ａが垂下している。受け皿２の底板の前後にそれぞれ一対の脚部２ａ，２ｂが突設されている。また、後述のように受け皿２がグリル室１から引き出されたときに該受け皿２を水平に保つために、後側の脚部２ｂは支点Ａを兼ね、受け皿２のフランジ２１の後部の両側には支点Ｂが突設されている。
【００２１】
グリル扉４は、把手４１及び覗き窓部４２を備えほぼ平板状をなし、支持枠３の前端部に結合され、受け皿２及び支持枠３がグリル室１に押し込まれたときに、グリル室１の前面開口１１を閉じる。把手４１は、グリル扉４の前面から、前方へ突出して設けられている。また、覗き窓部４２は、グリル内が見えるようにグリル扉４のほぼ上半分を占める耐熱ガラス部を備えている。
【００２２】
グリル室１は金属板を折り曲げて形成され、図２のようにグリル室１の左右側壁の下部には、断面コ字状の支持枠ガイド５が形成されている。支持枠ガイド５は、受け皿２の出し入れ方向に延びている。支持枠ガイド５に上壁面５ａには、支持枠３の上側サイド枠をガイドする上レール５１が形成され、支持枠ガイド５に下壁面５ｃには、支持枠３の下側サイド枠３１１をガイドする下レール５２が形成されている。そして、上レール５１の幅方向の中央には上レール５１の全長にわたって上レール溝５１ａが形成され、下レール５２の幅方向の中央には下レール５２の全長にわたって下レール溝５２ａが形成されている。
【００２３】
また、図１のように上レール５１及び下レール５２は受け皿２の出し入れ方向に延び、前端はグリル室１の前側に設けられた枠受け部１２よりやや後方に位置し、後端はグリル室１の後端面近傍まで達し、グリル室１内の位置から受け皿２及び支持枠３のほぼ全体をグリル室１から引き出す位置まで、支持枠３をガイドするようになっている。また、下レール５２の下レール溝５２ａの後端には、支持枠３の後述する扉位置決め用の被係止部３１１ｄと係合する係止部５２ｂを上方に突設されている。また、上レール溝５１ａの中間部には、後述のように支持枠３の上側サイド枠３１を下方に弾性変形させるための枠押さえ突起（枠変形手段）５１ｂが形成されている。
【００２４】
また、図１及び図２のように上レール５１の前端寄り部位のうちレール溝５１ａよりも外側から枠止め突起６が垂設され、該枠止め突起６は、支持枠３が引き出されたときに該支持枠３の後述する枠止め用の被係止部３１１ｅを係止することによって支持枠３の引き出し動作を停止させる働きをする。また、この状態では、支持枠３はグリル扉４などの重みで幾分傾き、被係止部３１１ｅは上レール５１に接することによって支持枠３の後部の上昇を制限する。なお、上レール５１は支持枠ガイド５の上壁面の一部を構成し、下レール５２は支持枠ガイド５の下壁面の一部を構成するものである。
【００２５】
図６乃至図８はグリルの支持枠３を示し、図６は支持枠３の平面図、図７はその側面図、図８は図６のＸ−Ｘ断面図である。支持枠３は、平面視がほぼ矩形状となっており、一対の上側サイド枠３１及びこれらを連結する前枠３２及び後枠３３で構成される棒状部材に、下側サイド枠３１１となる棒状部材を溶接して形成され、該下側サイド枠３１１は上側サイド枠３１よりも僅かに内側に位置している。
【００２６】
また、前枠３２の中央部は図６のように後方に屈曲して受け皿２の前支持部３２ａが形成され、後枠３３のうち後立ち上がり部３１１ｂよりも内側を受け皿２の後支持部３３ａとされる。
【００２７】
上側サイド枠３１には、図８及び図９のように、上方に突曲して上レール５１によってガイドされる被ガイド枠部３１ａと、該被ガイド枠部３１ａと段部３１ｂを介して形成される横振れ防止枠部３１ｃとが形成され、該横振れ防止枠部３１ｃは外側方に突曲して支持枠ガイド５の縦壁面５ｂによってガイドされ、支持枠３の横振れを防止するものである。
【００２８】
また、下側サイド枠３１１の前端及び後端には前立ち上がり部３１１ａ及び後立ち上がり部３１１ｂが形成され、また、下側サイド枠３１１に、上方に湾曲した後部３１１ｃ及び扉位置決め用に被係止部３１１ｄが形成され、該被係止部３１１ｄは、グリル扉４が全閉したときに下レール５２の係止部５２ｂと係合するものである。前立ち上がり部３１１ａは支持板３４に溶接され、後立ち上がり部３１１ｂは後枠３３に溶接されている。また、後立ち上がり部３１１ｂの上端には、上レール５１の枠止め突起６に係止する枠止め用の被係止部３１１ｅが形成されている。
【００２９】
前枠３２は支持板３４に溶接されており、該支持板３４が、グリル扉４の対応する凹所に嵌め込まれることにより、支持枠３はグリル扉４に対し取り外し自在になっている。
【００３０】
このように構成される支持枠３は、図２のように左右両側はグリル室１の支持枠ガイド５内にそれぞれ位置し、上レール溝５１ａには支持枠３の上側ガイド枠３１の被ガイド枠部３１ａが位置し、下レール溝５２ａには支持枠３の下側ガイド枠３１１が位置する。
【００３１】
図９は受け皿２を支持枠３に載置した状態を示している。なお、図９では受け皿２を太線で示し、支持枠３を細線で示す。受け皿２の前端及び後端の前係合部２３及び後係合部２３ａは支持枠３の前枠３２の前支持部３２ａと後枠３３の後支持部３３ａに係合し、上側ガイド枠３１の被ガイド枠部３１ａは受け皿２よりも上位に位置して該受け皿２と支持枠ガイド５の上壁面５ａとの接触を回避し、下側ガイド枠３１１は受け皿２の底板よりも下位に位置して受け皿２と支持枠ガイド５の下壁面５ｃ及びグリル室１の底壁との接触を回避し、受け皿２の両側は上側ガイド枠３１よりも内側に位置して支持枠ガイド５の縦壁面５ｂとの接触を回避することにより、図１及び図２のように受け皿２をグリル室１内に浮かせた状態で配設できるようになっている。
【００３２】
また、支持枠３の下側ガイド枠３１１の被係止突起３１１ｄが下レール５２の係止突起と係合し、上側ガイド枠３１を支持枠ガイド５の上レール５１の枠押さえ突起５１ｂによって弾性変形するように構成されている。
【００３３】
このように構成されるグリルは、以下のようにしてグリル室１から受け皿２を出し入れできてグリル扉４の開閉操作性を向上させることができる
受け皿２及び支持枠３は、グリル扉４の把手４１を持って前後に操作することによって、前面開口１１を通じてグリル室１に出し入れ自在となっており、図１に示したグリル扉４が閉じた状態から、把手４１を持って受け皿２及び支持枠３を引き出すときには、支持枠３の下側サイド枠３１１がグリル室１の下レール５２に接して支持枠３は当初ほぼ水平な姿勢を保つ。
【００３４】
更に、図１１のように受け皿２及び支持枠３を更に引き出すと、上レール５１の枠止め突起６に該支持枠３の被係止部３１１ｅが係止され、また、支持枠３の下側サイド枠３１１の後部３１１ｃはグリル室１の前面開口１１に位置する。この状態ではグリル扉４及び支持枠３の重みと枠受け部１２の存在により支持枠３の前側がグリル扉４と共に下方に回転可能になる。
【００３５】
そして、図１２のように支持枠３の後部３１１ｃがグリル室１の枠受け部１２に接することにより、回転が停止してその状態を維持する。なお、グリル扉４の把手４１に手を掛けて支持枠３を手で支持しながら回転させるものである。
【００３６】
一方、受け皿２は、支持枠３が回転して下方に移動することにより、支持枠３による支持を失うが、図１２（ｂ）のように受け皿２のフランジ２１の支点Ｂが上レール５１に、受け皿２の底面の支点Ａ（脚部２ｂ）がグリル室１底面の水平保持台１３にそれぞれ接するため、水平に保たれる。
【００３７】
そして、受け皿２及び支持枠３をグリル室１から取り外すときには、図１３のように把手４１を持って矢印のように支持枠３及び受け皿２をそれぞれの後部を中心に上方に回転させることにより、支持枠３の被係止部３１１ｅを枠止め突起６から外す。そして、この状態で図１４のようにグリル扉４１などを引き出し方向に引いて支持枠５をグリル室１から取り外し、また、支持枠５を取り外した後は支持枠５、受け皿２及び焼き網７を分離して洗浄等を行うことができる。
【００３８】
このように、枠止め突起６等で構成される扉降下手段によって支持枠３の前側をグリル扉４と共に所定量下降させると共に該支持枠３の後部を支持することができ、また、支持枠３の前側をグリル扉４と共に所定量下降したときには、受け皿２を水平姿勢に維持することができる。これによって、焼き網７上の魚等の取り出しが容易になる。
【００３９】
一方、グリル扉４を閉じるときには、グリル扉４が完全の閉じる少し手前で、上レール５１の枠押さえ突起５１ｂが、図１０（ａ）の二点鎖線のように上側ガイド枠３１の段部３１ｂに当たり、グリル扉４を更に押し込むと、枠押さえ突起５１ｂによって支持枠３の上側ガイド枠３１を下方に弾性変形すると共に、支持枠３の下側ガイド枠３１１の被係止突起３１１ｄが支持枠ガイド５の下レール５２の係止突起５２ｂを乗り上げ、グリル扉４を更に押し込むと、図１０（ｂ）のように被係止突起３１１ｄが係止突起５２ｂを越えて該係止突起５２ｂに対して係合すると共に、グリル扉４が完全に閉じる。そして、被係止突起３１１ｄが係止突起５２ｂに係合した状態では、上側ガイド枠３１が弾性変形状態が維持されることによって支持枠３の下側ガイド枠３１１が下方に弾性付勢されて係合状態が維持される。なお、グリル扉４を開くときには、支持枠３を強制的に引くことによって、上側サイド枠３１の弾性力に抗して被係止突起３１１ｄが係止突起５２ｂを乗り越えて係合状態から離脱する。
【図面の簡単な説明】
【００４０】
【図１】本発明の実施形態に係るグリルの縦断側面図である。
【図２】（ａ）は本発明の実施形態に係るグリルの縦断正面図、（ｂ）は一部拡大した縦断正面図である。
【図３】同実施形態に係るグリルの受け皿の平面図である。
【図４】同実施形態に係るグリルの受け皿の正面図である。
【図５】同実施形態に係るグリルの受け皿の側面図である。
【図６】同実施形態に係るグリルの支持枠の平面図である。
【図７】同実施形態に係るグリルの支持枠の側面図である。
【図８】図６のＸ−Ｘ断面図である。
【図９】（ａ）は同実施形態に係るグリルの受け皿を支持枠に載せた状態を示す平面図、（ｂ）はその側面図である。
【図１０】（ａ）は同実施形態に係るグリルの扉開閉動作を示す概略図、（ｂ）は（ａ）のＹ部分の拡大図である。
【図１１】同実施形態に係る受け皿の引き出し動作を示す縦断側面図である。
【図１２】（ａ）は同実施形態に係る受け皿の引き出し動作を示す縦断側面図、（ｂ）は（ａ）のＺ部分の拡大図である。
【図１３】同実施形態に係る受け皿の引き出し動作を示す縦断側面図である。
【図１４】同実施形態に係る受け皿の引き出し動作を示す縦断側面図である。
【符号の説明】
【００４１】
１    グリル室
２    受け皿
３    支持枠
４    グリル扉
５    支持枠ガイド
【図１】
2008149168.tif 000003
【図２】
2008149168.tif 000004
【図３】
2008149168.tif 000005
【図４】
2008149168.tif 000006
【図５】
2008149168.tif 000007
【図６】
2008149168.tif 000008
【図７】
2008149168.tif 000009
【図８】
2008149168.tif 000010
【図９】
2008149168.tif 000011
【図１０】
2008149168.tif 000012
【図１１】
2008149168.tif 000013
【図１２】
2008149168.tif 000014
【図１３】
2008149168.tif 000015
【図１４】
2008149168.tif 000016
【手続補正書】
【提出日】平成20年3月10日(2008.3.10)
【手続補正１】
【補正対象書類名】特許請求の範囲
【補正対象項目名】全文
【補正方法】変更
【補正の内容】
【特許請求の範囲】
【請求項１】
グリル室の前面開口を通じて受け皿及びこれを支持する支持枠を出し入れ自在に配置したグリルであって、
前記支持枠の前端部に結合され、前記受け皿及び前記支持枠が前記グリル室に押し込まれたときに、該グリル室の前面開口を閉じるグリル扉と、
前記グリル室の左右両側に形成され、前記支持枠の左右両側のサイド枠を摺動させることによって、前記グリル室内の位置から前記受け皿及び前記支持枠のほぼ全体が前記グリル室から引き出される引き出し位置まで、前記支持枠をガイドする支持枠ガイドとを備え、
前記支持枠ガイドに係止突起を形成し、前記グリル扉を閉じたとき前記係止突起と係合する被係止突起を前記サイド枠に設け、前記係止突起に対する前記被係止突起の係合・離脱時に該サイド枠を弾性変形させる枠変形手段を設け、
前記グリル扉の開閉時に、前記枠変形手段によって前記サイド枠を弾性変形させながら前記被係止突起が前記係止突起を乗り越えて該係止突起に対して係合・離脱することを特徴とするグリル。
【請求項２】
前記受け皿を前記グリル室内に浮かせ、且つ、前記支持枠ガイドと接触させない状態で載置する前記支持枠とを備えたことを特徴とする請求項１に記載のグリル。
【請求項３】
前記支持枠ガイドに下レール溝を設け、該下レール溝を前記支持枠のサイド枠が摺動することを特徴とする請求項１又は２に記載のグリル。
【請求項４】
前記支持枠は、前記受け皿よりも上位に位置して該受け皿と断面コ字状の前記支持枠ガイドの上壁面との接触を回避するための上側サイド枠を備えたことを特徴とする請求項１から３のいずれかに記載のグリル。
【請求項５】
前記受け皿を前記支持枠の前枠部と後枠部に載置したことを特徴とする請求項１から４のいずれかに記載のグリル。
【請求項６】
前記引き出し位置に至ったときに、前記支持枠の前側を前記グリル扉と共に所定量下降させると共に該支持枠の後部を支持する扉降下手段と、
前記引き出し位置に至ったときに、前記受け皿の後部を支持して該受け皿をほぼ水平姿勢に維持する水平保持手段と備えたことを特徴とする請求項１から５のいずれかに記載のグリル。